(57)【要約】【課題】ベーン式の可変バルブタイミング調整機構（ＶＣＴ）において、可変バルブリフト機構（ＶＶＬ）の動作状態の影響で実バルブタイミングが変動することを防止する。【解決手段】ＶＶＬの制御モードをＶＣＴの供給油圧が低下する方向に切り換える時は、目標バルブタイミング及びＯＣＶ電流値（油圧制御弁の制御電流値）をそれぞれ遅角側ガード値で制限してＶＣＴがほとんど遅角動作しない状態にすることで、ＶＣＴの制御領域を進角室側のドレーン切替弁を閉弁する領域に制限して進角室側の逆止弁を機能させる状態に制御する。一方、ＶＣＴへの供給油圧が上昇する方向にＶＶＬの制御モードを切り換える時は、目標バルブタイミング及びＯＣＶ電流値をそれぞれ進角側ガード値で制限してＶＣＴがほとんど進角動作しない状態にすることで、ＶＣＴの制御領域を遅角室側のドレーン切替弁を閉弁する領域に制限して遅角室側の逆止弁を機能させる状態にする。【選択図】図１３
2008008283.tif 000002
【特許請求の範囲】
【請求項１】
ベーン式の可変バルブタイミング調整機構（以下「ＶＣＴ」と表記する）のハウジング内に形成された複数のベーン収納室内をそれぞれベーンによって進角室と遅角室とに区画し、少なくとも１つのベーン収納室の進角室の油圧供給油路と遅角室の油圧供給油路に、それぞれ各油圧室（「油圧室」とは「進角室」と「遅角室」のいずれかを意味する）からの作動油の逆流を防止する逆止弁を設けると共に、各油圧室の油圧供給油路に、それぞれ前記逆止弁をバイパスするドレーン油路を並列に設け、各ドレーン油路にそれぞれドレーン切替弁を設けたベーン式の可変バルブタイミング調整機構の制御装置において、
前記ＶＣＴの実変位角を目標変位角に一致させるように油圧制御弁を制御して各油圧室の油圧を可変すると共に各油圧室のドレーン切替弁の開閉を制御して各油圧室の逆止弁を機能させる状態と機能させない状態との間で切り替える制御手段と、
前記ＶＣＴに供給する油圧及び／又は内燃機関のカム軸のトルクを変動させる要素（以下「油圧・カム軸トルク変動要素」という）の動作状態に基づいて前記ＶＣＴの実変位角の変動を防止するように前記各油圧室のドレーン切替弁と逆止弁の状態を制御するバルブタイミング変動防止制御を実行するバルブタイミング変動防止制御手段と
を備えていることを特徴とするベーン式の可変バルブタイミング調整機構の制御装置。
【請求項２】
前記油圧・カム軸トルク変動要素は、内燃機関の吸気バルブ及び／又は排気バルブのバルブリフト量を変化させる油圧駆動式の可変バルブリフト機構であることを特徴とする請求項１に記載のベーン式の可変バルブタイミング調整機構の制御装置。
【請求項３】
前記制御手段は、前記ＶＣＴを進角動作させる場合は、作動油を流入させる進角室側のドレーン切替弁を閉じて進角室側の逆止弁を機能させると共に、作動油が排出される遅角室側のドレーン切替弁を開いて遅角室側の逆止弁を機能させないように制御し、前記ＶＣＴを遅角動作させる場合は、作動油を流入させる遅角室側のドレーン切替弁を閉じて遅角室側の逆止弁を機能させると共に、作動油が排出される進角室側のドレーン切替弁を開して進角室側の逆止弁を機能させないように制御することを特徴とする請求項１又は２に記載のベーン式の可変バルブタイミング調整機構の制御装置。
【請求項４】
前記制御手段は、前記ＶＣＴの実変位角を目標変位角に保持する保持動作させる場合は、前記進角室側と前記遅角室側の両方のドレーン切替弁を閉じて前記進角室側と前記遅角室側の両方の逆止弁を機能させるように制御することを特徴とする請求項３に記載のベーン式の可変バルブタイミング調整機構の制御装置。
【請求項５】
前記バルブタイミング変動防止制御手段は、前記油圧・カム軸トルク変動要素の動作状態に基づいて前記ＶＣＴの目標変位角を制限することで前記バルブタイミング変動防止制御を実行することを特徴とする請求項３又は４に記載のベーン式の可変バルブタイミング調整機構の制御装置。
【請求項６】
前記バルブタイミング変動防止制御手段は、前記油圧・カム軸トルク変動要素の動作状態に基づいて前記ＶＣＴの制御入力を制限することで前記バルブタイミング変動防止制御を実行することを特徴とする請求項３又は４に記載のベーン式の可変バルブタイミング調整機構の制御装置。
【請求項７】
前記バルブタイミング変動防止制御手段は、前記油圧・カム軸トルク変動要素の動作状態に基づいて前記ＶＣＴの目標変位角を制限すると共に前記ＶＣＴの制御入力を制限することで前記バルブタイミング変動防止制御を実行することを特徴とする請求項３又は４に記載のベーン式の可変バルブタイミング調整機構の制御装置。
【請求項８】
前記バルブタイミング変動防止制御手段は、前記ＶＣＴの目標変位角と実変位角との偏差が所定値以上のときに前記バルブタイミング変動防止制御を許可することを特徴とする請求項１乃至７のいずれかに記載のベーン式の可変バルブタイミング調整機構の制御装置。
【請求項９】
前記各ドレーン切替弁は、油圧で駆動されるように構成されて前記ＶＣＴのハウジングの内部に設けられ、
前記各ドレーン切替弁を駆動する油圧を切り替える油圧切替弁が前記ＶＣＴのハウジングの外部に設けられていることを特徴とする請求項１乃至８のいずれかに記載のベーン式の可変バルブタイミング調整機構の制御装置。
【請求項１０】
前記油圧切替弁は、前記油圧制御弁に一体化されていることを特徴とする請求項９に記載のベーン式の可変バルブタイミング調整機構の制御装置。
【請求項１１】
ベーン式の可変バルブタイミング調整機構（以下「ＶＣＴ」と表記する）のハウジング内に形成された複数のベーン収納室内がそれぞれベーンによって進角室と遅角室とに区画されており、少なくとも１つのベーン収納室内の進角室の油圧供給油路に設けられ、前記進角室からの作動油の逆流を防止する第１の逆止弁と、前記第１の逆止弁をバイパスする第１のドレーン油路に設けられ、油圧で駆動される第１のドレーン制御弁と、少なくとも１つのベーン収納室の遅角室の油圧供給油路に設けられ、前記遅角室からの作動油の逆流を防止する第２の逆止弁と、前記第２の逆止弁をバイパスする第２のドレーン油路に設けられ、油圧で駆動される第２のドレーン制御弁と、
前記ＶＣＴへ供給する油圧を制御する第１の油圧制御弁と、
前記第１のドレーン制御弁と前記第２のドレーン油圧弁とを駆動する油圧を制御する第２の油圧制御弁と、
前記第１の油圧制御弁と前記第２の油圧制御弁とを制御する制御手段とを備えたベーン式の可変バルブタイミング調整機構の制御装置において、
前記制御手段は、前記ＶＣＴに供給する油圧及び／又は内燃機関のカム軸のトルクを変動させる要素（以下「油圧・カム軸トルク変動要素」という）の動作状態に基づいて前記ＶＣＴの実変位角の変動を防止するように各ドレーン制御弁を制御するバルブタイミング変動防止制御を実行するバルブタイミング変動防止制御手段を含むことを特徴とするベーン式の可変バルブタイミング調整機構の制御装置。
【請求項１２】
前記油圧・カム軸トルク変動要素は、内燃機関の吸気バルブ及び／又は排気バルブのバルブリフト量を変化させる油圧駆動式の可変バルブリフト機構であることを特徴とする請求項１１に記載のベーン式の可変バルブタイミング調整機構の制御装置。
【請求項１３】
前記制御手段は、前記ＶＣＴを進角動作させる場合は、作動油を流入させる進角室側のドレーン制御弁を閉じて進角室側の逆止弁を機能させると共に、作動油が排出される遅角室側のドレーン制御弁を開いて遅角室側の逆止弁を機能させないように制御し、前記ＶＣＴを遅角動作させる場合は、作動油を流入させる遅角室側のドレーン制御弁を閉じて遅角室側の逆止弁を機能させると共に、作動油が排出される進角室側のドレーン制御弁を開いて進角室側の逆止弁を機能させないように制御することを特徴とする請求項１１又は１２に記載のベーン式の可変バルブタイミング調整機構の制御装置。
【請求項１４】
前記制御手段は、前記ＶＣＴの実変位角を目標変位角に保持する保持動作させる場合は、前記第１のドレーン制御弁と前記第２のドレーン制御弁とを閉じて前記第１の逆止弁と前記第２の逆止弁とを機能させるように制御することを特徴とする請求項１３に記載のベーン式の可変バルブタイミング調整機構の制御装置。
【請求項１５】
前記バルブタイミング変動防止制御手段は、前記油圧・カム軸トルク変動要素の動作状態に基づいて前記ＶＣＴの目標変位角を制限することで前記バルブタイミング変動防止制御を実行することを特徴とする請求項１３又は１４に記載のベーン式の可変バルブタイミング調整機構の制御装置。
【請求項１６】
前記バルブタイミング変動防止制御手段は、前記油圧・カム軸トルク変動要素の動作状態に基づいて前記ＶＣＴの制御入力を制限することで前記バルブタイミング変動防止制御を実行することを特徴とする請求項１３又は１４に記載のベーン式の可変バルブタイミング調整機構の制御装置。
【請求項１７】
前記バルブタイミング変動防止制御手段は、前記油圧・カム軸トルク変動要素の動作状態に基づいて前記ＶＣＴの目標変位角を制限すると共に前記ＶＣＴの制御入力を制限することで前記バルブタイミング変動防止制御を実行することを特徴とする請求項１３又は１４に記載のベーン式の可変バルブタイミング調整機構の制御装置。
【請求項１８】
前記バルブタイミング変動防止制御手段は、前記ＶＣＴの目標変位角と実変位角との偏差が所定値以上のときに前記バルブタイミング変動防止制御を許可することを特徴とする請求項１１乃至１７のいずれかに記載のベーン式の可変バルブタイミング調整機構の制御装置。
【請求項１９】
前記各ドレーン制御弁は、油圧で駆動されるように構成されて前記ＶＣＴのハウジングの内部に設けられ、
前記各ドレーン制御弁を駆動する油圧を制御する第２の油圧制御弁が前記ＶＣＴのハウジングの外部に設けられていることを特徴とする請求項１１乃至１８のいずれかに記載のベーン式の可変バルブタイミング調整機構の制御装置。
【請求項２０】
前記第１の油圧制御弁と前記第２の油圧制御弁とは独立して制御可能な構成であり、
前記制御手段は、前記第２の油圧制御弁を制御して、各ドレーン制御弁を開閉する第１の制御手段と、前記第２の油圧制御弁を制御して、前記ＶＣＴの実変位角が目標変位角となるように制御する第１の制御手段とを含むことを特徴とする請求項１１乃至１９のいずれかに記載のベーン式の可変バルブタイミング調整機構の制御装置。
【請求項２１】
前記第１の油圧制御弁と前記第２の油圧制御弁とが駆動軸で一体化されている構成であり、
前記制御手段は、前記第２の油圧制御弁を制御して各ドレーン制御弁を開閉すると共に、前記第１の油圧制御弁を制御して、前記ＶＣＴの実変位角が目標変位角となるように制御する第３の制御手段を含むことを特徴とする請求項１１乃至１９のいずれかに記載のベーン式の可変バルブタイミング調整機構の制御装置。
【請求項２２】
ベーン式の可変バルブタイミング調整機構（以下「ＶＣＴ」と表記する）のハウジング内に形成された複数のベーン収納室内をそれぞれベーンによって進角室と遅角室とに区画し、少なくとも１つのベーン収納室内の進角室の油圧供給油路に、前記進角室からの作動油の逆流を防止する第１の逆止弁と、前記第１の逆止弁をバイパスする第１のドレーン油路を設け、且つ、少なくとも１つのベーン収納室の遅角室の油圧供給油路に、前記遅角室からの作動油の逆流を防止する第２の逆止弁と、前記第２の逆止弁をバイパスする第２のドレーン油路を設け、
前記ＶＣＴに供給する油圧を制御する油圧制御弁に、前記第１のドレーン油路と前記第２のドレーン油路とを開放／閉鎖するドレーン油路制御機能を一体化したベーン式の可変バルブタイミング調整機構の制御装置であって、
前記制御手段は、前記ＶＣＴに供給する油圧及び／又は内燃機関のカム軸のトルクを変動させる要素（以下「油圧・カム軸トルク変動要素」という）の動作状態に基づいて前記ＶＣＴの実変位角の変動を防止するように各ドレーン油路を制御するバルブタイミング変動防止制御を実行するバルブタイミング変動防止制御手段、
を含むことを特徴とするベーン式の可変バルブタイミング調整機構の制御装置。
【請求項２３】
前記油圧・カム軸トルク変動要素は、内燃機関の吸気バルブ及び／又は排気バルブのバルブリフト量を変化させる油圧駆動式の可変バルブリフト機構であることを特徴とする請求項２２に記載のベーン式の可変バルブタイミング調整機構の制御装置。
【請求項２４】
前記制御手段は、前記ＶＣＴを進角動作させる場合は、作動油を流入させる進角室側のドレーン油路を閉じて作動油を流入させる進角室側の逆止弁を機能させると共に、作動油が排出される遅角室側のドレーン油路を開いて作動油が排出される遅角室側の逆止弁を機能させないように制御し、前記ＶＣＴを遅角動作させる場合は、作動油を流入させる遅角室側のドレーン油路を閉じて作動油を流入させる遅角室側の逆止弁を機能させると共に、作動油が排出される進角室側のドレーン油路を開いて作動油が排出される進角室側の逆止弁を機能させないように制御することを特徴とする請求項２２又は２３に記載のベーン式の可変バルブタイミング調整機構の制御装置。
【請求項２５】
前記制御手段は、前記ＶＣＴの実変位角を目標変位角に保持する保持動作させる場合は、前記第１のドレーン油路と前記第２のドレーン油路とを閉じて前記第１の逆止弁と前記第２の逆止弁とを機能させるように制御することを特徴とする請求項２４に記載のベーン式の可変バルブタイミング調整機構の制御装置。
【請求項２６】
変動防止制御手段は、前記油圧・カム軸トルク変動要素の動作状態に基づいて前記ＶＣＴの目標変位角を制限することで前記バルブタイミング変動防止制御を実行することを特徴とする請求項２４又は２５に記載のベーン式の可変バルブタイミング調整機構の制御装置。
【請求項２７】
前記バルブタイミング変動防止制御手段は、前記油圧・カム軸トルク変動要素の動作状態に基づいて前記ＶＣＴの制御入力を制限することで前記バルブタイミング変動防止制御を実行することを特徴とする請求項２５又は２６に記載のベーン式の可変バルブタイミング調整機構の制御装置。
【請求項２８】
前記バルブタイミング変動防止制御手段は、前記油圧・カム軸トルク変動要素の動作状態に基づいて前記ＶＣＴの目標変位角を制限すると共に前記ＶＣＴの制御入力を制限することで前記バルブタイミング変動防止制御を実行することを特徴とする請求項２６又は２７に記載のベーン式の可変バルブタイミング調整機構の制御装置。
【請求項２９】
前記バルブタイミング変動防止制御手段は、前記ＶＣＴの目標変位角と実変位角との偏差が所定値以上のときに前記バルブタイミング変動防止制御を許可することを特徴とする請求項２２乃至２８のいずれかに記載のベーン式の可変バルブタイミング調整機構の制御装置。
【請求項３０】
前記第１のドレーン油路に油圧で駆動される第１のドレーン制御弁と、前記第２のドレーン油路に油圧で駆動される第２のドレーン制御弁とを設け、
前記油圧制御弁のドレーン油路制御機能による油圧制御によって、前記第１のドレーン制御弁を開弁／閉弁することで前記第１のドレーン油路を開放／閉鎖するとともに、前記第２のドレーン制御弁を開弁／閉弁することで前記第２のドレーン油路を開放／閉鎖することを特徴とする請求項２３乃至２９のいずれかに記載のベーン式の可変バルブタイミング調整機構の制御装置。
【請求項３１】
前記各ドレーン制御弁は、前記ＶＣＴのハウジングの内部に設けられ、
前記各ドレーン制御弁を駆動する油圧を切り替える前記油圧制御弁が前記ＶＣＴのハウジングの外部に設けられていることを特徴とする請求項３０に記載のベーン式の可変バルブタイミング調整機構の制御装置。
【発明の詳細な説明】
【技術分野】
【０００１】
本発明は、進角室の油圧供給油路と遅角室の油圧供給油路に、それぞれ、各油圧室からの作動油の逆流を防止する逆止弁を設けたベーン式の可変バルブタイミング調整機構の制御装置に関する発明である。
【背景技術】
【０００２】
近年、車両に搭載される内燃機関（エンジン）においては、出力向上、燃費節減、排気エミッション低減等を目的として、吸気バルブや排気バルブのバルブタイミング（カム軸の変位角）を可変する可変バルブタイミング調整機構を採用したものが増加しつつある。例えば、ベーン式の可変バルブタイミング調整機構の基本的な構成は、特許文献１（特開２００１−１５９３３０号公報）に示すように、エンジンのクランク軸に同期して回転するハウジングと、吸気バルブ（又は排気バルブ）のカム軸に連結されたベーンロータとを同軸状に配置し、ハウジング内に形成された複数のベーン収納室内をベーンロータ外周側のベーン（羽根部）で進角室と遅角室とに区画する。そして、各油圧室の油圧を油圧制御弁で制御して、ハウジングに対してベーンロータを相対回動させることで、クランク軸に対するカム軸の変位角（カム軸位相）を変化させて、バルブタイミングを可変制御するようにしている。
【０００３】
このようなベーン式の可変バルブタイミング調整機構では、エンジン運転中に吸気バルブや排気バルブを開閉駆動するときに、吸気バルブや排気バルブからカム軸が受けるフリクショントルクの変動がベーンロータに伝わり、それによって、ベーンロータに対して遅角方向及び進角方向へのトルク変動が作用する。これにより、ベーンロータが遅角方向にトルク変動を受けると、進角室の作動油が進角室から押し出される圧力を受け、また、ベーンロータが進角方向にトルク変動を受けると、遅角室の作動油が遅角室から押し出される圧力を受けることになる。このため、油圧供給源から供給される油圧が低い低回転領域では、進角室に油圧を供給してカム軸の変位角を進角させようとしても、図３に点線で示すように、ベーンロータが上記トルク変動により遅角方向に押し戻されてしまい、目標変位角に到達するまでの応答時間が長くなってしまうという問題があった。
【０００４】
この問題を解決するために、特許文献２（特開２００３−１０６１１５号公報）に示すように、遅角室の油圧供給油路と進角室の油圧供給油路にそれぞれ逆止弁を設け、ベーンロータがトルク変動を受けても遅角室や進角室からの作動油の逆流を逆止弁によって防止することで、図３に実線で示すように、可変バルブタイミング制御中にベーンロータが目標変位角の方向とは逆方向に戻されることを防止して、可変バルブタイミング制御の応答性を向上させることが考えられている。
【０００５】
この特許文献２の可変バルブタイミング調整機構では、進角室の油圧供給油路と遅角室の油圧供給油路に、それぞれ逆止弁を設けると共に、各油圧室の油圧供給油路に、それぞれ逆止弁をバイパスするドレーン油路を並列に設け、各油圧室に供給する油圧を制御する油圧制御弁（スプール式電磁弁）に、各油圧室のドレーン油路を開閉するドレーン切替弁としての機能を一体化した構成となっている。そして、この油圧制御弁の駆動電流を制御することで、各油圧室に供給する油圧を制御すると同時に、各油圧室のドレーン油路の開放／閉鎖の切り替えを制御して、いずれかの油圧室の油圧を抜く必要があるときに、その油圧室のドレーン油路を開放して当該ドレーン油路を通して油圧を速やかに抜くことができるようにしている。
【０００６】
また、近年の内燃機関においては、更なる性能向上を目的として、可変バルブタイミング調整機構に加えて、更に吸気バルブや排気バルブのバルブリフト量を変化させる油圧駆動式の可変バルブリフト機構を搭載したものがある。
【特許文献１】特開２００１−１５９３３０号公報（第４頁〜第６頁等）
【特許文献２】特開２００３−１０６１１５号公報（第１頁等）
【発明の開示】
【発明が解決しようとする課題】
【０００７】
しかし、上述した逆止弁付きの可変バルブタイミング調整機構と可変バルブリフト機構の両方に共通の油圧供給源で油圧を供給するシステムでは、可変バルブリフト機構のリフト制御によって可変バルブリフト機構に供給する油圧が変化すると、その影響を受けて可変バルブタイミング調整機構に供給する油圧が変動して、実バルブタイミング（カム軸の実変位角）が変動する可能性がある。
【０００８】
この現象を具体的にすると、図８（ｂ）に示すように、可変バルブタイミング調整機構（ＶＣＴ）の遅角動作中は、遅角室からの作動油の逆流を防止するために、遅角室側のドレーン切替弁を閉弁して遅角室側の逆止弁を機能させる状態にすると共に、進角室から作動油をスムーズに排出するために、進角室側のドレーン切替弁を開弁して進角室側の逆止弁を機能させない状態に制御するが、この遅角動作中に、可変バルブリフト機構（ＶＶＬ）のリフト制御の影響で可変バルブタイミング調整機構に供給する油圧が低下すると、上記遅角制御により進角室側の逆止弁が機能しない状態になっているため、図９（ｂ）に示すように、進角室の油圧が一時的に急低下して実バルブタイミングが一時的に遅角方向に変動する可能性がある。
【０００９】
一方、図８（ｃ）に示すように、可変バルブタイミング調整機構の進角動作中は、進角室からの作動油の逆流を防止するために、進角室側のドレーン切替弁を閉弁して進角室側の逆止弁を機能させる状態にすると共に、遅角室から作動油をスムーズに排出するために、遅角室側のドレーン切替弁を開弁して遅角室側の逆止弁を機能させない状態に制御するが、この進角動作中に、可変バルブリフト機構のリフト制御の影響で可変バルブタイミング調整機構に供給する油圧が上昇すると、上記進角制御により遅角室側の逆止弁が機能しない状態になっているため、図１０（ｃ）に示すように、進角室の油圧上昇により遅角室の油圧が一時的に急低下して実バルブタイミングが一時的に進角方向に変動する可能性がある。
【００１０】
また、上述した逆止弁付きの可変バルブタイミング調整機構の油圧回路と可変バルブリフト機構の油圧回路を分離したシステムの場合でも、可変バルブリフト機構のリフト制御によってカム軸のトルクが変動したときに、その影響で可変バルブタイミング調整機構の逆止弁が機能していない側の油圧室から作動油が押し出されて、実バルブタイミングが変動する可能性がある。
【００１１】
本発明は、これらの事情を考慮してなされたものであり、従ってその目的は、可変バルブタイミング調整機構に供給する油圧やカム軸のトルクを変動させる要素の動作状態の影響で実バルブタイミングが変動することを防止でき、安定したバルブタイミング制御を実現することができるベーン式の可変バルブタイミング調整機構の制御装置を提供することにある。
【課題を解決するための手段】
【００１２】
上記目的を達成するために、請求項１に係る発明は、ベーン式の可変バルブタイミング調整機構（以下「ＶＣＴ」と表記する）のハウジング内に形成された複数のベーン収納室内をそれぞれベーンによって進角室と遅角室とに区画し、少なくとも１つのベーン収納室の進角室の油圧供給油路と遅角室の油圧供給油路に、それぞれ各油圧室（「油圧室」とは「進角室」と「遅角室」のいずれかを意味する）からの作動油の逆流を防止する逆止弁を設けると共に、各油圧室の油圧供給油路に、それぞれ前記逆止弁をバイパスするドレーン油路を並列に設け、各ドレーン油路にそれぞれドレーン切替弁を設けたベーン式の可変バルブタイミング調整機構の制御装置において、制御手段によってＶＣＴの実変位角を目標変位角に一致させるように油圧制御弁を制御して各油圧室の油圧を可変すると共に各油圧室のドレーン切替弁の開閉を制御して各油圧室の逆止弁を機能させる状態と機能させない状態との間で切り替え、バルブタイミング変動防止制御手段によってＶＣＴに供給する油圧及び／又は内燃機関のカム軸のトルクを変動させる要素（以下「油圧・カム軸トルク変動要素」という）の動作状態に基づいてＶＣＴの実変位角の変動を防止するように各油圧室のドレーン切替弁と逆止弁の状態を制御するバルブタイミング変動防止制御を実行するようにしたものである。
【００１３】
このようにすれば、油圧・カム軸トルク変動要素の動作状態の影響でＶＣＴに供給する油圧やカム軸トルクが変動しても、その変動によって発生するＶＣＴの実変位角の変動を防止するように進角室側や遅角室側の逆止弁の状態（つまりドレーン切替弁の開閉状態）を制御することができるため、油圧・カム軸トルク変動要素の動作状態の影響で実バルブタイミングが変動することを防止でき、安定したバルブタイミング制御を実現することができる。
【００１４】
本発明は、請求項２のように、油圧・カム軸トルク変動要素として、内燃機関の吸気バルブ及び／又は排気バルブのバルブリフト量を変化させる油圧駆動式の可変バルブリフト機構を備えたシステムに適用しても良い。このようにすれば、ＶＣＴと可変バルブリフト機構とを搭載したシステムにおいて、可変バルブリフト機構の動作状態の影響で実バルブタイミングが変動することを防止でき、可変バルブリフト機構の動作状態に左右されずに、安定したバルブタイミング制御を実現することができる。
【００１５】
また、請求項３のように、ＶＣＴを進角動作させる場合は、作動油を流入させる進角室側のドレーン切替弁を閉じて進角室側の逆止弁を機能させると共に、作動油が排出される遅角室側のドレーン切替弁を開いて遅角室側の逆止弁を機能させないように制御し、ＶＣＴを遅角動作させる場合は、作動油を流入させる遅角室側のドレーン切替弁を閉じて遅角室側の逆止弁を機能させると共に、作動油が排出される進角室側のドレーン切替弁を開いて進角室側の逆止弁を機能させないように制御すると良い。
【００１６】
このようにすれば、油圧供給源から供給される油圧が低くなる低回転領域においても、進角動作時には、ベーンロータの遅角方向へのトルク変動に対して進角室からのオイルの逆流を逆止弁により防止しながら進角室に油圧を効率良く供給して進角応答性を向上させることができ、同様に、遅角動作時には、ベーンロータの進角方向へのトルク変動に対して遅角室からのオイルの逆流を逆止弁により防止しながら遅角室に油圧を効率良く供給して遅角応答性を向上させることができる。
【００１７】
更に、ＶＣＴの実変位角を目標変位角に保持する保持動作させる場合は、進角室側と遅角室側の両方のドレーン切替弁を閉じて進角室側と遅角室側の両方の逆止弁を機能させるように制御すると良い。このようにすれば、吸気バルブや排気バルブからカム軸が受けるトルク変動によってベーンロータに対して遅角方向及び進角方向へのトルク変動が作用しても、進角室と遅角室の両方の作動油の逆流を逆止弁により防止して、ベーンをその両側から保持する油圧が低下するのを防止して、保持安定性を向上させることができる。
【００１８】
この場合、バルブタイミング変動防止制御の具体的な制御方法は、請求項５のように、油圧・カム軸トルク変動要素の動作状態に基づいてＶＣＴの目標変位角を制限することでバルブタイミング変動防止制御を実行するようにしても良い。
【００１９】
例えば、油圧・カム軸トルク変動要素の動作状態の影響でＶＣＴに供給する油圧が低下する場合には、ＶＣＴの目標変位角を遅角側ガード値で制限してＶＣＴがほとんど遅角動作しない状態にすることで、ＶＣＴの制御領域を進角室側のドレーン切替弁を閉弁する領域に制限して進角室側の逆止弁を機能させる状態に制御する。これにより、油圧・カム軸トルク変動要素の動作状態の影響でＶＣＴに供給する油圧が低下しても、進角室の油圧が一時的に急低下することを進角室側の逆止弁で防止して、実バルブタイミングが一時的に遅角方向に変動することを防止する。
【００２０】
一方、油圧・カム軸トルク変動要素の動作状態の影響でＶＣＴに供給する油圧が上昇する場合には、ＶＣＴの目標変位角を進角側ガード値で制限してＶＣＴがほとんど進角動作しない状態にすることで、ＶＣＴの制御領域を遅角室側のドレーン切替弁を閉弁する領域に制限して遅角室側の逆止弁を機能させる状態に制御する。これにより、油圧・カム軸トルク変動要素の動作状態の影響でＶＣＴに供給する油圧が上昇しても、進角室の油圧上昇により遅角室の油圧が一時的に急低下することを遅角室側の逆止弁で防止して、実バルブタイミングが一時的に進角方向に変動することを防止する。
【００２１】
一般に、ＶＣＴの制御では、目標変位角と実変位角との偏差が小さくなるように油圧制御弁の制御電流を制御するため、目標変位角を進角側ガード値や遅角側ガード値で制限しても、制限後の目標変位角と実変位角との偏差が比較的大きい場合には、その偏差が十分に小さくなるまで進角動作や遅角動作が継続されて、逆止弁の状態（ドレーン切替弁の開閉状態）を速やかに切り換えることができない可能性がある。
【００２２】
そこで、請求項６のように、油圧・カム軸トルク変動要素の動作状態に基づいてＶＣＴの制御入力（例えば、油圧制御弁の制御電流や制御デューティ等）を制限することでバルブタイミング変動防止制御を実行するようにしても良い。例えば、油圧・カム軸トルク変動要素の動作状態の影響でＶＣＴに供給する油圧が低下する場合には、ＶＣＴの目標変位角と実変位角との偏差に応じた制御入力を遅角側ガード値で制限することで、ＶＣＴの制御領域を速やかに進角室側のドレーン切替弁を閉弁する領域に制限して進角室側の逆止弁を機能させる状態に制御する。
【００２３】
一方、油圧・カム軸トルク変動要素の動作状態の影響でＶＣＴに供給する油圧が上昇する場合には、ＶＣＴの目標変位角と実変位角との偏差に応じた制御入力を進角側ガード値で制限することで、ＶＣＴの制御領域を速やかに遅角室側のドレーン切替弁を閉弁する領域に制限して遅角室側の逆止弁を機能させる状態に制御する。このようにすれば、目標変位角と実変位角との偏差が比較的大きい場合でも、逆止弁の状態を速やかに切り換えることができる。
【００２４】
尚、上述した請求項５と請求項６は、それぞれ単独で実施しても良いが、両者を組み合わせて、請求項７のように、油圧・カム軸トルク変動要素の動作状態に基づいてＶＣＴの目標変位角を制限すると共にＶＣＴの制御入力を制限することでバルブタイミング変動防止制御を実行するようにしても良い。これにより、一層確実なバルブタイミング変動防止効果が得られる。
【００２５】
また、請求項８のように、ＶＣＴの目標変位角と実変位角との偏差が所定値以上のときにバルブタイミング変動防止制御を許可するようにしても良い。つまり、ＶＣＴの目標変位角と実変位角との偏差が所定値以上になってＶＣＴを進角動作又は遅角動作させるときには、遅角室側又は進角室側の逆止弁を機能させない状態にするため、油圧・カム軸トルク変動要素の動作状態の影響で実バルブタイミングが変動する可能性があると判断して、バルブタイミング変動防止制御を許可する。このようにすれば、遅角室側又は進角室側の逆止弁を機能させない状態にするとき（つまり油圧・カム軸トルク変動要素の動作状態の影響で実バルブタイミングが変動する可能性があるとき）のみ、バルブタイミング変動防止制御を実行することができる。
【００２６】
一般に、油圧制御弁はソレノイドで駆動するスプール式電磁弁により構成され、電気的な配線が必要となるため、この油圧制御弁をエンジンのクランク軸に同期して高速回転するＶＣＴの内部に設けることは実質的に不可能である。この関係で、油圧制御弁はＶＣＴの外部に配置されることから、前記特許文献２のように、油圧制御弁によって各油圧室のドレーン油路を開閉する構成では、各油圧室からドレーン油路を開閉する油圧制御弁までの油路（油圧室内に常時連通する油路）の長さが長くなってしまい、その分、応答性が遅くなるという欠点がある。
【００２７】
この欠点を解消するために、請求項９のように、各油圧室のドレーン切替弁を、油圧で駆動されるように構成してＶＣＴのハウジングの内部に設け、各ドレーン切替弁を駆動する油圧を切り替える油圧切替弁をＶＣＴのハウジングの外部に設けるようにすると良い。この構成では、ドレーン切替弁を小型化できると共にドレーン切替弁への電気的な配線が不要であるため、ドレーン切替弁を逆止弁と共にＶＣＴの内部の狭いスペースにコンパクトに組み付けることが可能になり、設計の自由度が高められると共に、各油圧室の近くにドレーン切替弁を配置することが可能となり、進角・遅角動作時にドレーン油路を油圧室の近くで応答良く開放／閉鎖できる利点がある。
【００２８】
この場合、ドレーン切替弁を駆動する油圧を切り替える油圧切替弁を、油圧制御弁とは別体に設けるようにしても良いが、請求項１０のように、油圧切替弁を油圧制御弁に一体化した構成とすると良い。これにより、部品点数削減、低コスト化、コンパクト化の要求を満たすことができる。
【００２９】
本発明は、ベーン式の可変バルブタイミング調整機構の構成が請求項１とは異なる構成のものにも適用して実施できる。
例えば、請求項１０のように、ベーン式の可変バルブタイミング調整機構（以下「ＶＣＴ」と表記する）の少なくとも１つのベーン収納室内の進角室の油圧供給油路に設けられ、前記進角室からの作動油の逆流を防止する第１の逆止弁と、前記第１の逆止弁をバイパスする第１のドレーン油路に設けられ、油圧で駆動される第１のドレーン制御弁と、少なくとも１つのベーン収納室の遅角室の油圧供給油路に設けられ、前記遅角室からの作動油の逆流を防止する第２の逆止弁と、前記第２の逆止弁をバイパスする第２のドレーン油路に設けられ、油圧で駆動される第２のドレーン制御弁と、前記ＶＣＴへ供給する油圧を制御する第１の油圧制御弁と、前記第１のドレーン制御弁と前記第２のドレーン油圧弁とを駆動する油圧を制御する第２の油圧制御弁と、前記第１の油圧制御弁と前記第２の油圧制御弁とを制御する制御手段とを備えた構成としても良い。
【００３０】
このような構成のＶＣＴに対しても、前記請求項１〜１０に係る発明を適用して実施できる（請求項１１〜２１）。
【００３１】
また、請求項２２のように、ＶＣＴの少なくとも１つのベーン収納室内の進角室の油圧供給油路に、前記進角室からの作動油の逆流を防止する第１の逆止弁と、前記第１の逆止弁をバイパスする第１のドレーン油路を設け、且つ、少なくとも１つのベーン収納室の遅角室の油圧供給油路に、前記遅角室からの作動油の逆流を防止する第２の逆止弁と、前記第２の逆止弁をバイパスする第２のドレーン油路を設け、前記ＶＣＴに供給する油圧を制御する油圧制御弁に、前記第１のドレーン油路と前記第２のドレーン油路とを開放／閉鎖するドレーン油路制御機能を一体化した構成としても良い。
【００３２】
このような構成のＶＣＴに対しても、前記請求項１〜８に係る発明を適用して実施できる（請求項２２〜２９）。
【００３３】
この場合、請求項３０のように、前記第１のドレーン油路に油圧で駆動される第１のドレーン制御弁と、前記第２のドレーン油路に油圧で駆動される第２のドレーン制御弁とを設け、前記油圧制御弁のドレーン油路制御機能による油圧制御によって、前記第１のドレーン制御弁を開弁／閉弁することで前記第１のドレーン油路を開放／閉鎖するとともに、前記第２のドレーン制御弁を開弁／閉弁することで前記第２のドレーン油路を開放／閉鎖するように構成すれば良い。
【００３４】
また、請求項３１のように、前記各ドレーン制御弁を、前記ＶＣＴのハウジングの内部に設け、前記各ドレーン制御弁を駆動する油圧を切り替える前記油圧制御弁を前記ＶＣＴのハウジングの外部に設けた構成とすると良い。各ドレーン制御弁は、電気的な配線が不要であるため、各逆止弁と共にＶＣＴ内部のベーンロータにコンパクトに組み付けることが可能となり、各油圧室の近くにドレーン制御弁を配置して、進角・遅角動作時に各ドレーン油路を各油圧室の近くで応答良く開放／閉鎖できる。
【発明を実施するための最良の形態】
【００３５】
以下、本発明を実施するための最良の形態を具体化した一実施例を説明する。
まず、図１に基づいてベーン式の可変バルブタイミング調整機構１１の構成を説明する。可変バルブタイミング調整機構１１のハウジング１２は、図示しない吸気側又は排気側のカム軸の外周に回動自在に支持されたスプロケットにボルト１３で締め付け固定されている。これにより、エンジンのクランク軸の回転がタイミングチェーンを介してスプロケットとハウジング１２に伝達され、スプロケットとハウジング１２がクランク軸と同期して回転する。ハウジング１２内には、ベーンロータ１４が相対回動自在に収納され、このベーンロータ１４がボルト１５によりカム軸の一端部に締め付け固定されている。
【００３６】
ハウジング１２の内部には、ベーンロータ１４の外周部の複数のベーン１７を進角方向及び遅角方向に相対回動自在に収納する複数のベーン収納室１６が形成され、各ベーン収納室１６が各ベーン１７によって進角室１８と遅角室１９とに区画されている。
【００３７】
進角室１８と遅角室１９に所定圧以上の油圧が供給された状態では、進角室１８と遅角室１９の油圧でベーン１７が保持されて、クランク軸の回転によるハウジング１２の回転が油圧を介してベーンロータ１４に伝達され、このベーンロータ１４と一体的にカム軸が回転駆動される。エンジン運転中は、進角室１８と遅角室１９の油圧を油圧制御弁２１で制御してハウジング１２に対してベーンロータ１４を相対回動させることで、クランク軸に対するカム軸の変位角（カム軸位相）を制御して吸気バルブ（又は排気バルブ）のバルブタイミングを可変する。
【００３８】
また、いずれか１つのベーン１７の両側部には、ハウジング１２に対するベーンロータ１４の相対回動範囲を規制するストッパ部２２，２３が形成され、このストッパ部２２，２３によってカム軸の変位角（カム軸位相）の最遅角位置と最進角位置が規制されている。また、いずれか１つのベーン１７には、エンジン停止時等にカム軸の変位角を所定のロック位置でロックするためのロックピン２４が設けられ、このロックピン２４がハウジング１２に設けられたロック穴（図示せず）に嵌り込むことで、カム軸の変位角が所定のロック位置でロックされる。このロック位置は、始動に適した位置（例えばカム軸変位角の調整可能範囲の略中間位置）に設定されている。
【００３９】
可変バルブタイミング調整機構１１の油圧制御回路には、オイルパン２６内のオイル（作動油）がオイルポンプ２７により油圧制御弁２１を介して供給される。この油圧制御回路は、油圧制御弁２１の進角圧ポートから吐出されるオイルを複数の進角室１８に供給する油圧供給油路２８と、油圧制御弁２１の遅角圧ポートから吐出されるオイルを複数の遅角室１９に供給する油圧供給油路２９とが設けられている。
【００４０】
そして、進角室１８の油圧供給油路２８と遅角室１９の油圧供給油路２９には、それぞれ各室１８，１９からの作動油の逆流を防止する逆止弁３０，３１が設けられている。本実施例では、１つのベーン収納室１６の進角室１８と遅角室１９の油圧供給油路２８，２９についてのみ逆止弁３０，３１が設けられている。勿論、２つ以上のベーン収納室１６の進角室１８と遅角室１９の油圧供給油路２８，２９にそれぞれ逆止弁３０，３１を設ける構成としても良い。
【００４１】
各室１８，１９の油圧供給油路２８，２９には、それぞれ逆止弁３０，３１をバイパスするドレーン油路３２，３３が並列に設けられ、各ドレーン油路３２，３３には、それぞれドレーン切替弁３４，３５（ドレーン制御弁）が設けられている。各ドレーン切替弁３４，３５は、油圧制御弁２１から供給される油圧（パイロット圧）で閉弁方向に駆動されるスプール弁により構成され、油圧が加えられないときには、スプリング４１，４２によって開弁位置に保持される。ドレーン切替弁３４，３５が開弁すると、ドレーン油路３２，３３が開放されて、逆止弁３０，３１の機能が働かない状態となる。ドレーン切替弁３４，３５が閉弁すると、ドレーン油路３２，３３が閉鎖されて、逆止弁３０，３１の機能が有効に働く状態となり、油圧室１８，１９からのオイルの逆流が防止されて油圧室１８，１９の油圧が保持される。
【００４２】
各ドレーン切替弁３４，３５は、電気的な配線が不要であるため、逆止弁３０，３１と共に可変バルブタイミング調整機構１１のハウジング１２内部のベーンロータ１４にコンパクトに組み付けられている。これにより、各油圧室１８，１９の近くにドレーン切替弁３４，３５が配置され、進角・遅角動作時に各ドレーン油路３２，３３を各油圧室１８，１９の近くで応答良く開放／閉鎖できるようになっている。
【００４３】
一方、油圧制御弁２１は、リニアソレノイド３６によって駆動されるスプール弁により構成され、進角室１８と遅角室１９に供給する油圧を制御する進角／遅角油圧制御機能３７と、各ドレーン切替弁３４，３５を駆動する油圧を切り替えるドレーン切替制御機能３８（油圧切替弁）とが一体化されている。この油圧制御弁２１は、電気的な配線が必要であるため、可変バルブタイミング調整機構１１のハウジング１２の外部に設けられている。この油圧制御弁２１のリニアソレノイド３６に通電する電流値（制御デューティ）は、エンジン制御回路（以下「ＥＣＵ」という）４３によって制御される。
【００４４】
このＥＣＵ４３は、クランク角センサ４４及びカム角センサ４５の出力信号に基づいて吸気バルブ（又は排気バルブ）の実バルブタイミング（実変位角）を演算すると共に、吸気圧センサ、水温センサ等のエンジン運転状態を検出する各種センサの出力に基づいて吸気バルブ（又は排気バルブ）の目標バルブタイミング（目標変位角）を演算する。そして、ＥＣＵ４３は、後述する図１１のＶＣＴ制御ルーチンを実行することで、実バルブタイミングを目標バルブタイミングに一致させるように可変バルブタイミング調整機構１１の油圧制御弁２１の制御電流を制御する。これにより、進角室１８と遅角室１９の油圧を制御してハウジング１２に対してベーンロータ１４を相対回動させることで、カム軸の変位角を変化させて実バルブタイミングを目標バルブタイミングに一致させる。
【００４５】
ところで、エンジン運転中に吸気バルブや排気バルブを開閉駆動するときに、吸気バルブや排気バルブからカム軸が受けるトルク変動がベーンロータ１４に伝わり、それによって、ベーンロータ１４に対して遅角方向及び進角方向へのトルク変動が作用する。これにより、ベーンロータ１４が遅角方向にトルク変動を受けると、進角室１８の作動油が進角室１８から押し出される圧力を受け、ベーンロータ１４が進角方向にトルク変動を受けると、遅角室１９の作動油が遅角室１９から押し出される圧力を受けることになる。このため、油圧供給源であるオイルポンプ２７の吐出油圧が低くなる低回転領域では、逆止弁３０，３１が無いと、進角室１８に油圧を供給してカム軸の変位角を進角させようとしても、図３に点線で示すように、ベーンロータ１４が上記トルク変動により遅角方向に押し戻されてしまい、目標変位角に到達するまでの応答時間が長くなってしまうという問題があった。
【００４６】
これに対して、本実施例では、進角室１８の油圧供給油路２８と遅角室１９の油圧供給油路２９に、それぞれ各室１８，１９からのオイルの逆流を防止する逆止弁３０，３１を設けると共に、各室１８，１９の油圧供給油路２８，２９に、それぞれ逆止弁３０，３１をバイパスするドレーン油路３２，３３を並列に設け、各ドレーン油路３２，３３に、それぞれドレーン切替弁３４，３５を設けた構成となっている。これにより、図２に示すように、遅角動作、保持動作、進角動作に応じて各室１８，１９の油圧が次のように制御される。
【００４７】
［遅角動作］
実バルブタイミングを遅角側の目標バルブタイミングに向けて遅角させる遅角動作中は、進角室１８のドレーン切替弁３４への油圧供給を停止することで、進角室１８のドレーン切替弁３４を開弁して進角室１８の逆止弁３０を機能させない状態にすると共に、遅角室１９のドレーン切替弁３５へ油圧切替弁３８から油圧を加えることで、遅角室１９のドレーン切替弁３５を閉弁して遅角室１９の逆止弁３１を機能させる状態にする。これにより、低油圧時でも、ベーンロータ１４の進角方向へのトルク変動に対して遅角室１９からのオイルの逆流を逆止弁３１により防止しながら効率良く遅角室１９に油圧を供給して遅角応答性を向上させる。
【００４８】
［保持動作］
実バルブタイミングを目標バルブタイミングに保持する保持動作中は、進角室１８と遅角室１９の両方のドレーン切替弁３４，３５へ油圧切替弁３８から油圧を共に加えることで、両方のドレーン切替弁３４，３５を共に閉弁して、進角室１８と遅角室１９の両方の逆止弁３０，３１を機能させる状態にする。この状態では、吸気バルブや排気バルブからカム軸が受けるトルク変動によってベーンロータ１４に対して遅角方向及び進角方向へのトルク変動が作用しても、進角室１８と遅角室１９の両方のオイルの逆流を逆止弁３１により防止して、ベーン１７をその両側から保持する油圧が低下するのを防止して、保持安定性を向上させる。
【００４９】
［進角動作］
実バルブタイミングを進角側の目標バルブタイミングに向けて進角させる進角動作中は、進角室１８のドレーン切替弁３４へ油圧切替弁３８から油圧を加えることで、進角室１８のドレーン切替弁３４を閉弁して進角室１８の逆止弁３０を機能させる状態にすると共に、遅角室１９のドレーン切替弁３５への油圧供給を停止することで、遅角室１９のドレーン切替弁３５を開弁して遅角室１９の逆止弁３１を機能させない状態にする。これにより、低油圧時でも、ベーンロータ１４の遅角方向へのトルク変動に対して進角室１８からのオイルの逆流を逆止弁３０により防止しながら効率良く油圧を進角室１８に供給して進角応答性を向上させる。
【００５０】
次に、可変バルブタイミング調整機構１１（以下「ＶＣＴ」という）の応答特性について図４を用いて説明する。図４は、油圧制御弁２１（以下「ＯＣＶ」という）の制御電流値とＶＣＴ応答速度との関係を測定して得られたＶＣＴ応答特性の一例を示している。
【００５１】
本実施例では、進角室１８と遅角室１９の両方に逆止弁３０，３１とドレーン切替弁３４，３５を設けているため、ＯＣＶ電流値の変化に対してＶＣＴ応答速度がリニアに変化せず、ドレーン切替弁３４，３５の開弁／閉弁が切り替えられることによりＶＣＴ応答速度が２箇所で急変する。図４のＶＣＴ応答特性において、遅角側の応答性急変点は、進角室１８のドレーン切替弁３４の閉弁／開弁が切り替えられる点であり、進角側の応答性急変点は、遅角室１９のドレーン切替弁３５の閉弁／開弁が切り替えられる点である。保持動作は、遅角側の応答性急変点と進角側の応答性急変点との間のＶＣＴ応答速度変化の勾配が小さい領域で行われる。
【００５２】
また、図１に示すように、油圧駆動式の可変バルブリフト機構４６（以下「ＶＶＬ」という）が設けられ、このＶＶＬ４６によって吸気バルブ（又は排気バルブ）のバルブリフト量を可変する。本実施例では、このＶＶＬ４６と上述したＶＣＴ１１の両方に共通のオイルポンプ２７で油圧を供給するようになっている。
【００５３】
図５に基づいてＶＶＬ４６の構成について説明する。吸気バルブ又は排気バルブ（以下単に「バルブ」という）４７を駆動するためのカムシャフト４８には、カムプロフィールが異なる低リフト用カム４９と高リフト用カム５０とが一体的に回転可能に設けられている。カムシャフト４８の下方には、ロッカシャフト５１が設けられ、このロッカシャフト５１を支軸としてロッカアーム５２が上下方向に揺動可能に設けられている。このロッカアーム５２の先端部には、バルブ４７の上端部が当接し、ロッカアーム５２の上下方向の揺動によってバルブ４７が上下方向にリフト動作するようになっている。
【００５４】
また、ロッカアーム５２には、低リフト用カム４９に当接して押圧される低リフト用カム押圧部（図示せず）と、高リフト用カム５０に当接して押圧される高リフト用カム押圧部（図示せず）とが設けられている。低リフト用カム４９は、ロッカアーム５２（低リフト用カム押圧部）の押圧量が小さくなると共にその押圧期間が短くなるように外周面形状が形成され、高リフト用カム５０は、ロッカアーム５２（高リフト用カム押圧部）の押圧量が大きくなると共にその押圧期間が長くなるように外周面形状が形成されている。
【００５５】
更に、ロッカアーム５２には、油圧駆動式のカム切換機構５３が設けられている。このカム切換機構５３は、低リフト用カム４９でロッカアーム５２（低リフト用カム押圧部）を押圧してバルブ４７を駆動する低リフト用カム有効状態と、高リフト用カム５０でロッカアーム５２（高リフト用カム押圧部）を押圧してバルブ４７を駆動する高リフト用カム有効状態との間で切り換えられるようになっている。
【００５６】
ＶＶＬ４６の制御モードを、バルブ４７のリフト量を小さくする低リフトモードに切り換える場合には、図示しない油圧制御弁でカム切換機構５３に供給する油圧を減少させてカム切換機構５３を低リフト用カム有効状態に切り換えて、低リフト用カム４９でロッカアーム５２（低リフト用カム押圧部）を押圧してバルブ４７を駆動する。これにより、ロッカアーム５２の押圧量が小さくなってバルブ４７のリフト量が小さくなると共に、ロッカアーム５２の押圧期間が短くなってバルブ４７の開弁期間が短くなる。
【００５７】
一方、ＶＶＬ４６の制御モードを、バルブ４７のリフト量を大きくする高リフトモードに切り換える場合には、油圧制御弁でカム切換機構５３に供給する油圧を増加させてカム切換機構５３を高リフト用カム有効状態に切り換えて、高リフト用カム５０でロッカアーム５２（高リフト用カム押圧部）を押圧してバルブ４７を駆動する。これにより、ロッカアーム５２の押圧量が大きくなってバルブ４７のリフト量が大きくなると共に、ロッカアーム５２の押圧期間が長くなってバルブ４７の開弁期間が長くなる。
【００５８】
ＥＣＵ４３は、エンジン運転状態（例えばエンジン回転速度やエンジン負荷等）に応じてＶＶＬ４６の油圧制御弁を制御して、ＶＶＬ４６の制御モードを低リフトモードと高リフトモードとの間で２段階に切り換える。
【００５９】
上述したＶＣＴ１１とＶＶＬ４６の両方に共通のオイルポンプ２７で油圧を供給するシステムでは、ＶＶＬ４６の制御モードの切り換えによってＶＶＬ４６に供給する油圧が変化すると、その影響を受けてＶＣＴ１１に供給する油圧が変動する可能性がある。
【００６０】
従来の逆止弁無しのＶＣＴでは、図６（ａ），（ｂ）に示すように、定常時（保持動作中）に、ＶＶＬ４６の制御モードの切り換えの影響でＶＣＴに供給する油圧が変動すると、実バルブタイミング（カム軸の実変位角）が一時的に変動する可能性がある。
【００６１】
これに対して、本実施例の逆止弁付きのＶＣＴ１１では、定常時（保持動作中）に、両方のドレーン切替弁３４，３５を共に閉弁して、進角室１８と遅角室１９の両方の逆止弁３０，３１を機能させる状態にするため、図７（ａ），（ｂ）に示すように、ＶＶＬ４６の制御モードの切り換えの影響でＶＣＴ１１に供給する油圧が変動しても、実バルブタイミングがほとんど変動しない。
【００６２】
しかし、図８（ｂ）に示すように、ＶＣＴ１１の遅角動作中は、遅角室１９からのオイルの逆流を防止するために、遅角室１９側のドレーン切替弁３５を閉弁して遅角室１９側の逆止弁３１を機能させない状態にすると共に、進角室１８から作動油をスムーズに排出するために、進角室１８側のドレーン切替弁３４を開弁して進角室１８側の逆止弁３０を機能させない状態に制御するが、この遅角動作中に、ＶＶＬ４６の制御モードが低リフトモードから高リフトモードに切り換えられてＶＣＴ１１に供給する油圧が低下すると、上記遅角制御により進角室１８側の逆止弁３０が機能しない状態になっているため、図９（ｂ）に示すように、進角室１８の油圧が一時的に急低下して実バルブタイミングが一時的に遅角方向に変動する可能性がある。
【００６３】
尚、図８（ａ）及び図９（ａ）に示すように、ＶＣＴ１１の進角動作中に、ＶＶＬ４６の制御モードが低リフトモードから高リフトモードに切り換えられてＶＣＴ１１に供給する油圧が低下する場合には、実バルブタイミングがほとんど変動しない。
【００６４】
一方、図８（ｃ）に示すように、ＶＣＴ１１の進角動作中は、進角室１８からのオイルの逆流を防止するために、進角室１８側のドレーン切替弁３４を閉弁して進角室１８側の逆止弁３０を機能させる状態にすると共に、遅角室１９から作動油をスムーズに排出するために、遅角室１９側のドレーン切替弁３５を開弁して遅角室１９側の逆止弁３１を機能させない状態に制御するが、この進角動作中に、ＶＶＬ４６の制御モードが高リフトモードから低リフトモードに切り換えられてＶＣＴ１１に供給する油圧が上昇すると、上記進角制御により遅角室１９側の逆止弁３１が機能しない状態になっているため、図１０（ｃ）に示すように、進角室１８の油圧上昇により遅角室１９の油圧が一時的に急低下して実バルブタイミングが一時的に進角方向に変動する可能性がある。
【００６５】
尚、図８（ｄ）及び図１０（ｄ）に示すように、ＶＣＴ１１の遅角動作中に、ＶＶＬ４６の制御モードが高リフトモードから低リフトモードに切り換えられてＶＣＴ１１に供給する油圧が上昇する場合には、実バルブタイミングがほとんど変動しない。
【００６６】
そこで、ＥＣＵ４３は、後述する図１２のバルブタイミング変動防止制御ルーチンを実行することで、ＶＶＬ４６の制御モードの切り換え方向に応じて実バルブタイミングの変動を防止するように逆止弁３０，３１の状態（つまりドレーン切替弁３４，３５の開閉状態）を制御するバルブタイミング変動防止制御を次のようにして実行する。
【００６７】
ＶＶＬ４６が低リフトモードから高リフトモードに切り換えられるとき（ＶＣＴ１１に供給する油圧が低下するとき）には、ＶＣＴ１１の目標バルブタイミングを遅角側ガード値で制限すると共にＯＣＶ電流値を遅角側ガード値で制限してＶＣＴ１１がほとんど遅角動作しない状態にすることで、ＶＣＴ１１の制御領域を進角室１８側のドレーン切替弁３４を閉弁する領域に制限して進角室１８側の逆止弁３０を機能させる状態に制御する。これにより、進角室１８の油圧が一時的に急低下することを進角室１８側の逆止弁３０で防止して、実バルブタイミングが一時的に遅角方向に変動することを防止する。
【００６８】
一方、ＶＶＬ４６が高リフトモードから低リフトモードに切り換えられるとき（ＶＣＴ１１に供給する油圧が上昇するとき）には、ＶＣＴ１１の目標バルブタイミングを進角側ガード値で制限すると共にＯＣＶ電流値を進角側ガード値で制限してＶＣＴ１１がほとんど進角動作しない状態にすることで、ＶＣＴ１１の制御領域を遅角室１９側のドレーン切替弁３５を閉弁する領域に制限して遅角室１９側の逆止弁３１を機能させる状態に制御する。これにより、進角室１８の油圧上昇により遅角室１９の油圧が一時的に急低下することを遅角室１９側の逆止弁３１で防止して、実バルブタイミングが一時的に進角方向に変動することを防止する。
【００６９】
以下、ＥＣＵ４３が実行する図１１のＶＣＴ制御ルーチン及び図１２のバルブタイミング変動防止制御ルーチンの処理内容を説明する。
【００７０】
［ＶＣＴ制御ルーチン］
図１１のＶＣＴ制御ルーチンは、エンジン運転中に所定周期（例えば５ｍｓ周期）で実行され、特許請求の範囲でいう制御手段としての役割を果たす。本ルーチンが起動されると、まずステップ１０１で、運転条件（例えばエンジン回転速度、負荷、冷却水温等）を検出し、次のステップ１０２で、検出した運転条件に基づいてＶＣＴ制御実行条件が成立しているか否かを判定する。その結果、ＶＣＴ制御実行条件が成立していないと判定されれば、以降の処理を行うことなく、本ルーチンを終了する。ＶＣＴ制御を実行しない場合には、目標バルブタイミングＶＶＴが０（最遅角位置）に維持される。
【００７１】
これに対して、上記ステップ１０２で、ＶＣＴ制御実行条件が成立していると判定されれば、ステップ１０３に進み、クランク角センサ４４の出力信号と、これに続いて発生するカム角センサ４５の出力信号との間の位相差により実バルブタイミングＶＴＡ（最遅角位置から現在位置までの進角量）を算出した後、次のステップ１０４で、現在の運転条件（エンジン回転速度、負荷等）に応じてマップ等から目標バルブタイミングＶＴＴを算出する。
【００７２】
この後、ステップ１０５に進み、図示しないＯＣＶ目標電流算出ルーチンを実行して、目標バルブタイミングＶＴＴと実バルブタイミングＶＴＡとの偏差に応じてＯＣＶ目標電流ｉＶＶＴをＰＤ制御等により算出する。そして、次のステップ１０６で、油圧制御弁２１（ＯＣＶ）の制御電流をＯＣＶ目標電流ｉＶＶＴに制御するための制御デューティを算出して本ルーチンを終了する。
【００７３】
［バルブタイミング変動防止制御ルーチン］
図１２のバルブタイミング変動防止制御ルーチンは、エンジン運転中に所定周期（例えば５ｍｓ周期）で実行され、特許請求の範囲でいうバルブタイミング変動防止制御手段としての役割を果たす。本ルーチンが起動されると、まず、ステップ２０１で、現在のＶＶＬ４６の目標制御モードを読み込んだ後、ステップ２０２に進み、ＶＶＬ４６の目標制御モードが低リフトモードから高リフトモードに切り換わったか否かを判定する。
【００７４】
このステップ２０２で、ＶＶＬ４６の目標制御モードが低リフトモードから高リフトモードに切り換わったと判定された場合には、バルブタイミング変動防止制御を次のようにして実行する。
【００７５】
まず、ステップ２０３で、ＶＶＬ４６の目標制御モードが低リフトモードから高リフトモードに切り換わった時点の目標バルブタイミングＶＴＴを目標バルブタイミングＶＴＴの遅角側ガード値として設定した後、ステップ２０４に進み、目標バルブタイミングＶＴＴを遅角側ガード値でガード処理して、目標バルブタイミングＶＴＴを遅角側ガード値を越えないように制限する。
【００７６】
この後、ステップ２０５に進み、現在のＯＣＶ電流値（例えばＯＣＶ目標電流ｉＶＶＴ）が遅角側所定値以下であるか否かを判定する。この遅角側所定値は、ＶＣＴ１１の遅角側の応答性急変点（図４参照）に相当するＯＣＶ電流値（進角室１８のドレーン切替弁３４の開弁／閉弁が切り替わるＯＣＶ電流値）に設定されている。
【００７７】
このステップ２０５で、ＯＣＶ電流値が遅角側所定値よりも大きいと判定された場合には、ステップ２０６，２０７の処理を実行することなく、ステップ２０８に進む。一方、上記ステップ２０５で、ＯＣＶ電流値が遅角側所定値以下であると判定された場合には、ステップ２０６に進み、遅角側所定値又はそれよりも少し大きい値をＯＣＶ電流値の遅角側ガード値として設定した後、ステップ２０７に進み、ＯＣＶ電流値を遅角側ガード値でガード処理して、ＯＣＶ電流値を遅角側ガード値以上に制限する。
【００７８】
このようにして、ＶＣＴ１１の目標バルブタイミングＶＴＴを遅角側ガード値で制限すると共にＯＣＶ電流値を遅角側ガード値で制限してＶＣＴ１１がほとんど遅角動作しない状態にすることで、ＶＣＴ１１の制御領域を進角室１８側のドレーン切替弁３４を閉弁する領域に制限して進角室１８側の逆止弁３０を機能させる状態に制御する。
【００７９】
この後、ステップ２０８に進み、ＶＶＬ４６が実際に低リフトモードから高リフトモードに切り換わったか否かによって制御モードの切り換えが完了したか否かを判定し、制御モード切換中であれば、ステップ２０４〜２０７の処理を繰り返す。その後、ステップ２０８で、ＶＶＬ４６の制御モードの切り換えが完了したと判定されたときに、ステップ２１６に進み、目標バルブタイミングＶＴＴ及びＯＣＶ電流値のガードを解除して、バルブタイミング変動防止制御を終了する。
【００８０】
一方、上記ステップ２０２で、ＶＶＬ４６の目標制御モードが低リフトモードから高リフトモードに切り換わっていないと判定された場合には、ステップ２０９に進み、ＶＶＬ４６の目標制御モードが高リフトモードから低リフトモードに切り換わったか否かを判定する。
【００８１】
このステップ２０９で、ＶＶＬ４６の目標制御モードが高リフトモードから低リフトモードに切り換わったと判定された場合には、バルブタイミング変動防止制御を次のようにして実行する。
【００８２】
まず、ステップ２１０で、ＶＶＬ４６の目標制御モードが高リフトモードから低リフトモードに切り換わった時点の目標バルブタイミングＶＴＴを目標バルブタイミングＶＴＴの進角側ガード値として設定した後、ステップ２１１に進み、目標バルブタイミングＶＴＴを進角側ガード値でガード処理して、目標バルブタイミングＶＴＴを進角側ガード値を越えないように制限する。
【００８３】
この後、ステップ２１２に進み、現在のＯＣＶ電流値（例えばＯＣＶ目標電流ｉＶＶＴ）が進角側所定値以上であるか否かを判定する。この進角側所定値は、ＶＣＴ１１の進角側の応答性急変点（図４参照）に相当するＯＣＶ電流値（遅角室１９のドレーン切替弁３５の開弁／開弁が切り替わるＯＣＶ電流値）に設定されている。
【００８４】
このステップ２１２で、ＯＣＶ電流値が進角側所定値よりも小さいと判定された場合には、ステップ２１３，２１４の処理を実行することなく、ステップ２１５に進む。一方、上記ステップ２１２で、ＯＣＶ電流値が進角側所定値以上であると判定された場合には、ステップ２１３に進み、進角側所定値又はそれよりも少し小さい値をＯＣＶ電流値の進角側ガード値として設定した後、ステップ２１４に進み、ＯＣＶ電流値を進角側ガード値でガード処理して、ＯＣＶ電流値を進角側ガード値以下に制限する。
【００８５】
このようにして、ＶＣＴ１１の目標バルブタイミングＶＴＴを進角側ガード値で制限すると共にＯＣＶ電流値を進角側ガード値で制限してＶＣＴ１１がほとんど進角動作しない状態にすることで、ＶＣＴ１１の制御領域を遅角室１９側のドレーン切替弁３５を閉弁する領域に制限して遅角室１９側の逆止弁３１を機能させる状態に制御する。
【００８６】
この後、ステップ２１５に進み、ＶＶＬ４６が実際に高リフトモードから低リフトモードに切り換わったか否かによって制御モードの切り換えが完了したか否かを判定し、制御モード切換中であれば、ステップ２１１〜２１４の処理を繰り返す。その後、ステップ２１５で、ＶＶＬ４６の制御モードの切り換えが完了したと判定されたときに、ステップ２１６に進み、目標バルブタイミングＶＴＴ及びＯＣＶ電流値のガードを解除して、バルブタイミング変動防止制御を終了する。
【００８７】
以上説明した本実施例では、図１３のタイムチャートに示すように、ＶＶＬ４６の制御モードが低リフトモードから高リフトモードに切り換えられるとき（ＶＣＴ１１に供給する油圧が低下するとき）には、ＶＣＴ１１の目標バルブタイミングを遅角側ガード値で制限すると共にＯＣＶ電流値を遅角側ガード値で制限してＶＣＴ１１がほとんど遅角動作しない状態にすることで、ＶＣＴ１１の制御領域を進角室１８側のドレーン切替弁３４を閉弁する領域に制限して進角室１８側の逆止弁３０を機能させる状態に制御する。これにより、ＶＶＬ４６の制御モードが低リフトモードから高リフトモードに切り換えられる際にＶＣＴ１１に供給する油圧が低下しても、進角室１８の油圧が一時的に急低下することを進角室１８側の逆止弁３０で防止して、実バルブタイミングが一時的に遅角方向に変動することを防止することができ、ＶＶＬ４６の動作状態に左右されずに、安定したバルブタイミング制御を実現することができる。
【００８８】
一方、ＶＶＬ４６の制御モードが高リフトモードから低リフトモードに切り換えられるとき（ＶＣＴ１１に供給する油圧が上昇するとき）には、ＶＣＴ１１の目標バルブタイミングを進角側ガード値で制限すると共にＯＣＶ電流値を進角側ガード値で制限してＶＣＴ１１がほとんど進角動作しない状態にすることで、ＶＣＴ１１の制御領域を遅角室１９側のドレーン切替弁３５を閉弁する領域に制限して遅角室１９側の逆止弁３１を機能させる状態に制御する。これにより、ＶＶＬ４６の制御モードが高リフトモードから低リフトモードに切り換えられる際にＶＣＴ１１に供給する油圧が上昇しても、進角室１８の油圧上昇により遅角室１９の油圧が一時的に急低下することを遅角室１９側の逆止弁３１で防止して、実バルブタイミングが一時的に進角方向に変動することを防止することができ、ＶＶＬ４６の動作状態に左右されずに、安定したバルブタイミング制御を実現することができる。
【００８９】
ところで、バルブタイミング変動防止制御の際に、目標バルブタイミングだけをガード値で制限するようにすると、制限後の目標バルブタイミングと実バルブタイミングとの偏差が比較的大きい場合には、その偏差が十分に小さくなるまでＶＣＴ１１の進角動作や遅角動作が継続されて、逆止弁３０，３１の状態を速やかに切り換えることができない可能性がある。
【００９０】
その点、本実施例では、バルブタイミング変動防止制御の際に、目標バルブタイミングと実バルブタイミングとの偏差に応じたＯＣＶ電流値をガード値で制限するようにしたので、目標バルブタイミングと実バルブタイミングとの偏差が比較的大きい場合でも、逆止弁３０，３１の状態を速やかに切り換えることができる。
【００９１】
しかしながら、本発明は、バルブタイミング変動防止制御の際に、目標バルブタイミングとＯＣＶ電流値のうちの一方だけをガード値で制限するようにしても良い。また、ＯＣＶ電流値以外のＶＣＴ１１の制御入力（例えば油圧制御弁２１の制御デューティ）をガード値で制限するようにしても良い。
【００９２】
また、本実施例では、各油圧室のドレーン切替弁３４，３５を、油圧で駆動されるように構成してＶＣＴ１１のハウジング１２の内部に設け、各ドレーン切替弁３４，３５を駆動する油圧を切り替える油圧切替弁３８をＶＣＴ１１のハウジング１２の外部に設けるようにしたので、ドレーン切替弁３４，３５を小型化できると共に、ドレーン切替弁３４，３５への電気的な配線が不要であるため、ドレーン切替弁３４，３５を逆止弁３０，３１と共にＶＣＴ１１の内部の狭いスペースにコンパクトに組み付けることが可能になり、設計の自由度が高められると共に、各油圧室の近くにドレーン切替弁３４，３５を配置することが可能となり、進角・遅角動作時にドレーン油路３２，３３を油圧室の近くで応答良く開放／閉鎖できる利点がある。
【００９３】
しかも、本実施例では、油圧切替弁３８を油圧制御弁２１に一体化した構成としているため、部品点数削減、低コスト化、コンパクト化の要求を満たすことができる。
しかしながら、本発明は、油圧切替弁３８を、油圧制御弁２１とは別体に設けるようにしても良い。
【００９４】
尚、上記実施例では、ＶＣＴ１１とＶＶＬ４６の両方に共通のオイルポンプ２７で油圧を供給するシステムに本発明を適用したが、ＶＣＴ１１の油圧回路とＶＶＬ４６の油圧回路を分離したシステムに本発明を適用しても良い。ＶＣＴ１１の油圧回路とＶＶＬ４６の油圧回路を分離したシステムの場合でも、ＶＶＬ４６の制御モードの切り換えによってカム軸のトルクが変動したときに、その影響でＶＣＴ１１の逆止弁を機能させていない側の油圧室から作動油が押し出されて、実バルブタイミングが変動する可能性があるが、本発明のバルブタイミング変動防止制御を実行することで、実バルブタイミングの変動を防止することができる。
【００９５】
また、上記実施例では、２段階の制御モード間で切り換わるＶＶＬ４６の動作状態に基づいてバルブタイミング変動防止制御を実行するようにしたが、３段階以上の制御モード間で切り換わるＶＶＬやバルブリフト量を連続的に変化させるＶＶＬの動作状態に基づいてバルブタイミング変動防止制御を実行するようにしても良い。或は、電気駆動式のＶＶＬの動作状態に基づいてバルブタイミング変動防止制御を実行するようにしても良い。また、ＶＶＬ以外の油圧・カム軸トルク変動要素（例えばパワーステアリング装置等）の動作状態に基づいてバルブタイミング変動防止制御を実行するようにしても良い。
【００９６】
また、本発明は、ＶＣＴ１１の目標変位角と実変位角との偏差が所定値以上のときにバルブタイミング変動防止制御を許可するようにしても良い。つまり、ＶＣＴ１１の目標変位角と実変位角との偏差が所定値以上になってＶＣＴ１１を進角動作又は遅角動作させるときには、遅角室側又は進角室側の逆止弁３０，３１を機能させない状態にするため、油圧・カム軸トルク変動要素の動作状態の影響で実バルブタイミングが変動する可能性があると判断して、バルブタイミング変動防止制御を許可する。このようにすれば、遅角室側又は進角室側の逆止弁３０，３１を機能させない状態にするとき（つまり油圧・カム軸トルク変動要素の動作状態の影響で実バルブタイミングが変動する可能性があるとき）にのみバルブタイミング変動防止制御を実行することができる。
【００９７】
本発明は、図１に示される可変バルブタイミング調整機構１１の構成に限定されず、例えば、図１４又は図１５に示される他の実施例の可変バルブタイミング調整機構７１，７２に適用することもできる。
【００９８】
図１４に示される可変バルブタイミング調整機構７１においては、図１に示される可変バルブタイミング調整機構１１に対して以下の点が相違している。なお、図１４において図１と同等の構成部品については同じ符号を付して説明を省略する。
【００９９】
まず、図１の油圧制御弁２１は１つのリニアソレノイド３６により進角／遅角油圧制御機能３７とドレーン切替制御機能３８とを駆動しているが、図１４では、進角／遅角油圧制御機能を実現する第１の油圧制御弁３７とドレーン切替制御機能を実現する第２の油圧制御弁３８とにそれぞれソレノイド３６，５１を設け、各ソレノイド３６，５１をそれぞれ別のＥＣＵ４３，５２によって独立して制御する構成としている。一方のＥＣＵ４３（第１の制御手段）は、ＶＣＴ実変位角と目標変位角との偏差に応じて第１の油圧制御弁３７の電流を制御し、他方のＥＣＵ５２（第２の制御手段）は、第２の油圧制御弁３８の電流を制御して、各ドレーン切替弁（ドレーン制御弁）３４，３５を駆動する油圧を制御する。
【０１００】
ドレーン切替弁３４，３５については、図１では、油圧が加えられていないときには、スプリング４１，４２によって開弁位置に保持される、いわゆるノーマリ・オープン型（常開型）の切替弁を用いている。これに対して、図１４では、油圧が加えられていないときに、スプリング４１，４２によって閉弁位置に保持される、いわゆるノーマリ・クローズ型（常閉型）の切替弁を用いている。またこれに伴い、ドレーン切替制御機能３８も、図１ではドレーン切替弁３４，３５を閉弁するときに油圧を供給する構成となっているが、図１４ではドレーン切替弁３４，３５を閉弁するときに油圧供給を停止する構成となっている。
【０１０１】
また、図１においては、ある１つのベーン１７で仕切られた１つのベーン収納室１６の進角室１８及び遅角室１９に対応する油圧供給通路２８，２９に逆止弁３０，３１及びドレーン切替弁３４，３５を設ける構成としているが、図１４では、あるベーン収納室１６の進角室１８に対する油圧供給通路２８と別のベーン収納室１６の遅角室１９に対する油圧供給通路２９とに逆止弁３０，３１及びドレーン切替弁３４，３５を設けている。
【０１０２】
この構成では、ＶＣＴ変位角を目標変位角に保持する保持動作中には、進角室１８側と遅角室１９側の両方のドレーン切替弁３４，３５を閉じて進角室１８側と遅角室１９側の両方の逆止弁３０，３１を有効に機能させて進角室１８及び遅角室１９からの作動油の逆流を防止するように第２の油圧制御弁３８を制御すると共に、可変バルブタイミング調整機構７１へ供給する油圧を制御する第１の油圧制御弁３７の制御電流を所定の保持電流に制御する。
【０１０３】
一方、可変バルブタイミング調整機構７１を進角動作させる場合は、作動油を流入させる進角室側のドレーン切替弁を閉じて、作動油が排出される遅角室側のドレーン切替弁を開くように第２の油圧制御弁３８を制御し、可変バルブタイミング調整機構７１を遅角動作させる場合は、作動油を流入させる遅角室側のドレーン切替弁を閉じて、作動油が排出される進角室側のドレーン切替弁を開くように第２の油圧制御弁３８を制御する。要するに、進角・遅角動作中には、その変位方向に応じて進角室１８側と遅角室１９側のいずれか一方のドレーン切替弁３４又は３５を開いていずれか一方の逆止弁３０又は３１が機能しないように第２の油圧制御弁３８を制御すると共に、前記第１の油圧制御弁３７の制御電流を制御して可変バルブタイミング調整機構７１へ供給する油圧を可変することでＶＣＴ変位角を目標変位角に向けて変位させる。
【０１０４】
以上のように構成した図１４の可変バルブタイミング調整機構７１に対しても本発明を適用することができる。
次に、図１５の可変バルブタイミング調整機構７２の構成について、図１との相違点を中心に説明する。図１５においても、図１４と同様に図１と同等の構成部品については同じ符号が付されている。
【０１０５】
まず、図１においては進角／遅角油圧制御機能３７のための油路を切換える弁とドレーン切替制御機能３８のための油路を切換える弁との２つの弁を備える構成としている。これに対して、図１５においては、１つの油圧制御弁６０で進角／遅角油圧制御機能とドレーン切替制御機能とを達成する構成としている。また、このために油圧供給通路２８，２９を油圧制御弁６０と逆止弁３０，３１との間で分岐させ、各々ドレーン切替弁（ドレーン制御弁）３４，３５と接続する構成としている。
【０１０６】
この構成では、ＶＣＴ変位角を目標変位角に保持する保持動作中には、油圧制御弁６０の制御電流を所定の保持電流に制御して、進角室１８側と遅角室１９側の両方のドレーン切替弁３４，３５を閉じて進角室１８側と遅角室１９側の両方の逆止弁３０，３１を有効に機能させて進角室１８及び遅角室１９からの作動油の逆流を防止するように制御すると共に、可変バルブタイミング調整機構７２へ供給する油圧を制御する。
【０１０７】
一方、ＶＣＴ変位角を進角方向又は遅角方向に変位させる進角・遅角動作中には、油圧制御弁６０の制御電流を制御して、その変位方向に応じて進角室１８側と遅角室１９側のいずれか一方のドレーン切替弁３４又は３５を開いていずれか一方の逆止弁３０又は３１が機能しないように制御すると共に、可変バルブタイミング調整機構７２へ供給する油圧を可変することでＶＣＴ変位角を目標変位角に向けて変位させる。
【０１０８】
以上のように構成した図１５の可変バルブタイミング調整機構７２に対しても本願発明を適用することができる。
【図面の簡単な説明】
【０１０９】
【図１】本発明の一実施例における可変バルブタイミング調整機構とその油圧制御回路を概略的に示す図である。
【図２】可変バルブタイミング調整機構の遅角動作、保持動作、進角動作を説明するための図である。
【図３】逆止弁の有無による進角作動時のＶＣＴ応答速度の相違を説明するための特性図である。
【図４】逆止弁付きの可変バルブタイミング調整機構の応答特性の一例を示す特性図である。
【図５】可変バルブリフト機構の概略構成を示す図である。
【図６】逆止弁無しの可変バルブタイミング調整機構の保持動作中の挙動を示すもので、（ａ）は可変バルブリフト機構を低リフトモードから高リフトモードに切り換えたときのタイムチャート、（ｂ）は可変バルブリフト機構を高リフトモードから低リフトモードに切り換えたときのタイムチャートである。
【図７】逆止弁付きの可変バルブタイミング調整機構の保持動作中の挙動を示すもので、（ａ）は可変バルブリフト機構を低リフトモードから高リフトモードに切り換えたときのタイムチャート、（ｂ）は可変バルブリフト機構を高リフトモードから低リフトモードに切り換えたときのタイムチャートである。
【図８】逆止弁付きの可変バルブタイミング調整機構の進角動作時及び遅角動作時に可変バルブリフト機構の制御モードを切り換えたときの挙動を説明するための図である。
【図９】（ａ）は逆止弁付きの可変バルブタイミング調整機構の進角動作中に可変バルブリフト機構を低リフトモードから高リフトモードに切り換えたときの挙動を示すタイムチャートで、（ｂ）は逆止弁付きの可変バルブタイミング調整機構の遅角動作中に可変バルブリフト機構を低リフトモードから高リフトモードに切り換えたときの挙動を示すタイムチャートである。
【図１０】（ｃ）は逆止弁付きの可変バルブタイミング調整機構の進角動作中に可変バルブリフト機構を高リフトモードから低リフトモードに切り換えたときの挙動を示すタイムチャートで、（ｄ）は逆止弁付きの可変バルブタイミング調整機構の遅角動作中に可変バルブリフト機構を高リフトモードから低リフトモードに切り換えたときの挙動を示すタイムチャートである。
【図１１】ＶＣＴ制御ルーチンの処理の流れを説明するフローチャートである。
【図１２】バルブタイミング変動防止制御ルーチンの処理の流れを説明するフローチャートである。
【図１３】バルブタイミング変動防止制御の一例を説明するタイムチャートである。
【図１４】本発明の他の実施例（その１）における可変バルブタイミング調整機構とその油圧制御回路を概略的に示す図である。
【図１５】本発明の他の実施例（その２）における可変バルブタイミング調整機構とその油圧制御回路を概略的に示す図である。
【符号の説明】
【０１１０】
１１…可変バルブタイミング調整機構（ＶＣＴ）、１２…ハウジング、１４…ベーンロータ、１６…ベーン収納室、１７…ベーン、１８…進角室、１９…遅角室、２１…油圧制御弁、２４…ロックピン、２７…オイルポンプ、２８，２９…油圧供給油路、３０，３１…逆止弁、３２，３３…ドレーン油路、３４，３５…ドレーン切替弁（ドレーン制御弁）、３７…進角／遅角油圧制御機能（第１の油圧制御弁）、３８…ドレーン切替制御機能（油圧切替弁，第２の油圧制御弁）、４３…ＥＣＵ（制御手段，バルブタイミング変動防止制御手段，第１の制御手段）、４４…クランク角センサ、４５…カム角センサ、４６…可変バルブリフト機構、５２…ＥＣＵ（第２の制御手段）、６０…油圧制御弁、７１，７２…可変バルブタイミング調整機構
【図１】
2008008283.tif 000003
【図２】
2008008283.tif 000004
【図３】
2008008283.tif 000005
【図４】
2008008283.tif 000006
【図５】
2008008283.tif 000007
【図６】
2008008283.tif 000008
【図７】
2008008283.tif 000009
【図８】
2008008283.tif 000010
【図９】
2008008283.tif 000011
【図１０】
2008008283.tif 000012
【図１１】
2008008283.tif 000013
【図１２】
2008008283.tif 000014
【図１３】
2008008283.tif 000015
【図１４】
2008008283.tif 000016
【図１５】
2008008283.tif 000017